(57)【特許請求の範囲】
【請求項１】
化粧パネルの四辺に吹出口を設け、これら吹出口に、支軸部を備えた風向変更板を夫々回動自在に軸支した天井埋込型空気調和機において、
前記吹出口は、吹出方向を外側に向けて夫々傾斜させた曲面形状により形成する一方、前記風向変更板は、厚さを連続的に変化させた合成樹脂製によって構成されてなり、その裏面は、短手方向の前後部がほぼ同じ厚さの厚肉状により曲面形状に形成され、表面は、一部を除いてほぼ平面状に形成されるとともに、同平面部に連続して、少なくとも短手方向の後部が前記吹出口の後部内面に対応した曲面形状により形成されたことを特徴とする天井埋込型空気調和機。
【請求項２】
前記風向変更板の裏面は、長手方向の少なくとも後部両側に凸条のリブを設け、同リブの内側に断熱部材を貼着したことを特徴とする請求項１に記載の天井埋込型空気調和機。
【請求項３】
前記吹出口の周縁部と、前記風向変更板の少なくとも短手方向の前後部との隙間が狭小になるように形成して、運転停止時に下方から見た際、外側に向けて傾斜させた前記吹出口の曲面形状により、該吹出口の内側が見えないよう遮蔽したことを特徴とする請求項１に記載の天井埋込型空気調和機。
【請求項４】
前記支軸部が、前記吹出口の長手方向の両側部に夫々設けられた略Ｕ字状の軸受溝と、同軸受溝に対応するストッパを両側に備えて嵌合された筒状のスリーブブッシュと、同スリーブブッシュに接続されると同時に前記風向変更板の支軸に連結されたジョイントとからなることを特徴とする請求項１または請求項３に記載の天井埋込型空気調和機。
【請求項５】
前記化粧パネルの四つのコーナ部の何れか一箇所に、前記風向変更板を回動するための駆動装置を設け、一つの駆動装置により四つの前記風向変更板が連動して回動するように、前記化粧パネルのコーナ部で隣接する前記ジョイントを連結部により互いに連結したことを特徴とする請求項１または請求項４に記載の天井埋込型空気調和機。
【請求項６】
前記駆動装置が、モータと、同モータの駆動軸の回転を往復動に変換して前記連結部に伝達するカムとからなることを特徴とする請求項５に記載の天井埋込型空気調和機。
【請求項７】
前記モータの駆動軸および前記カムの外周部に、夫々歯車を設けて互いに噛合させたことを特徴とする請求項６に記載の天井埋込型空気調和機。
【請求項８】
前記連結部が、ユニバーサルジョイントからなることを特徴とする請求項５または請求項６に記載の天井埋込型空気調和機。
【請求項９】
前記連結部が、フレキシブルジョイントからなることを特徴とする請求項５または請求項６に記載の天井埋込型空気調和機。
【発明の詳細な説明】
【０００１】
【発明の属する技術分野】
本発明は、天井埋込型空気調和機に係わり、より詳細には、化粧パネルの四辺に設けられた吹出口から送出される吹出空気が、直ちに吸込口に流入する所謂ショートサーキットを防止するとともに外観性をよくした風向変更板の構造、および同風向変更板を駆動する駆動装置の構造に関する。
【０００２】
【従来の技術】
従来の天井埋込型空気調和機は、例えば図９と、図１０（Ａ）および図１０（Ｂ）とで示すように、内側にフィルタ９を備えて中央部に設けられた吸込口８と化粧パネル１の四辺に設けられた吹出口２とを結ぶ空気通路に、ファンモータ10および送風ファン11からなる送風機と熱交換器12とを設け、前記吹出口２に、支軸部4'を備えた合成樹脂製の風向変更板３を夫々回動自在に軸支してなる構成であった。
【０００３】
しかしながら、前記風向変更板３は、例えば図１０（Ａ）で示すように、ほぼ均一な板厚により平面形状に形成されることにより、前記吹出口２から吹き出される吹出空気が矢印ａで示すように下方に向けて送出されやすい構成となり、該吹出空気が直ちに前記吸込口８に流入する所謂ショートサーキットを起こして、熱交換効率を低下させてしまうという問題を有していた。
【０００４】
または、前記風向変更板３は、例えば図１０（Ｂ）で示すように、ほぼ均一な板厚により曲面形状に形成されることにより、前記吹出口２から吹き出される吹出空気を矢印ｂで示すように水平方向に向けて効果的に送出する反面、前記吹出口２を閉じた際、矢印ｃで示すように、短手方向の後部が前記吹出口２の後部と凹凸状になってしまい外観性を損ねてしまうという問題を有していた。
【０００５】
そのために、前記吹出口２の後部と、前記風向変更板３の短手方向の後部とが凹凸状にならないようにする対策として、図示はしないが、該風向変更板３の短手方向の後部を厚肉状に形成した場合には、該風向変更板３の短手方向の前後部が互いに異なる肉厚で形成されることから、該前後部の収縮率が成形後の冷却時に相違するようになり、前記風向変更板３の長手方向にわたって所謂刃反りが生じてしまうという問題があった。
【０００６】
【発明が解決しようとする課題】
本発明においては、上記の問題点に鑑み、化粧パネルの四辺に設けられた吹出口から送出される吹出空気が、直ちに吸込口に流入する所謂ショートサーキットを防止し、外観性をよくするとともに所謂刃反りが生じないようにした風向変更板の構造、および同風向変更板を駆動する駆動装置の構造を備えた天井埋込型空気調和機を提供することを目的とする。
【０００７】
【課題を解決するための手段】
本発明は、上記課題を解決するため、化粧パネルの四辺に吹出口を設け、これら吹出口に、支軸部を備えた風向変更板を夫々回動自在に軸支した天井埋込型空気調和機において、
前記吹出口は、吹出方向を外側に向けて夫々傾斜させた曲面形状により形成する一方、前記風向変更板は、厚さを連続的に変化させた合成樹脂製によって構成されてなり、その裏面は、短手方向の前後部がほぼ同じ厚さの厚肉状により曲面形状に形成され、表面は、一部を除いてほぼ平面状に形成されるとともに、同平面部に連続して、少なくとも短手方向の後部が前記吹出口の後部内面に対応した曲面形状により形成された構成となっている。
【０００８】
また、前記風向変更板の裏面は、長手方向の少なくとも後部両側に凸条のリブを設け、同リブの内側に断熱部材を貼着した構成となっている。
【０００９】
また、前記吹出口の周縁部と、前記風向変更板の少なくとも短手方向の前後部との隙間が狭小になるように形成して、運転停止時に下方から見た際、外側に向けて傾斜させた前記吹出口の曲面形状により、該吹出口の内側が見えないよう遮蔽した構成となっている。
【００１０】
また、前記支軸部が、前記吹出口の長手方向の両側部に夫々設けられた略Ｕ字状の軸受溝と、同軸受溝に対応するストッパを両側に備えて嵌合された筒状のスリーブブッシュと、同スリーブブッシュに接続されると同時に前記風向変更板の支軸に連結されたジョイントとからなる構成となっている。
【００１１】
また、前記化粧パネルの四つのコーナ部の何れか一箇所に、前記風向変更板を回動するための駆動装置を設け、一つの駆動装置により四つの前記風向変更板が連動して回動するように、前記化粧パネルのコーナ部で隣接する前記ジョイントを連結部により互いに連結した構成となっている。
【００１２】
また、前記駆動装置が、モータと、同モータの駆動軸の回転を往復動に変換して前記連結部に伝達するカムとからなる構成となっている。
【００１３】
また、前記モータの駆動軸および前記カムの外周部に、夫々歯車を設けて互いに噛合させた構成となっている。
【００１４】
また、前記連結部が、ユニバーサルジョイントからなる構成となっている。
【００１５】
更に、前記連結部が、フレキシブルジョイントからなる構成となっている。
【００１６】
【発明の実施の形態】
以下、本発明の実施例を図面に基づいて詳細に説明する。
図１と、図２と、図３（Ａ）乃至図３（Ｃ）と、図４（Ａ）および図４（Ｂ）と、図５（Ａ）乃至図５（Ｄ）と、図６（Ａ）および図６（Ｂ）と、図７（Ａ）乃至図７（Ｄ）と、図８（Ａ）および図８（Ｂ）とにおいて、１は天井埋込型空気調和機を構成し、四辺に吹出口２を設けた化粧パネル、３は前記吹出口２に支軸部により夫々回動自在に軸支された風向変更板で、前記化粧パネル１の中央部に設けられ、内側にフィルタ９を備えた吸込口８と前記吹出口２とを結ぶ空気通路には、ファンモータ10を備えた送風ファン11と熱交換器12とが設けられた構成となっている。
【００１７】
前記吹出口２は、吹出方向を外側に向けて夫々傾斜させた曲面形状により形成する一方、前記風向変更板３は、前記吹出口２を閉じた状態および回動した状態を図３（Ａ）で示すように、厚さを連続的に変化させた合成樹脂製によって構成されてなり、その裏面は、短手方向の前後部3bおよび3cがほぼ同じ厚さの厚肉状により曲面形状に形成され、表面は、一部を除いてほぼ平面状に形成されるとともに、同平面部に連続して、少なくとも短手方向の後部3cが前記吹出口２の後部内面に対応した曲面形状により形成された構成となっており、
これによって、上記に説明した従来技術のように、前記吹出口２からの吹出空気が直ちに前記吸込口８に流入する所謂ショートサーキットを起こすことがなくなり、熱交換効率を低下させることがないようにした構造となり、また、前記吹出口２を閉じた際、前記風向変更板３の短手方向の後部3cが前記吹出口２の後部と面一状になって、外観性を損ねないようにするとともに所謂刃反りが生じないようにした構造となる。
【００１８】
また、前記風向変更板３の裏面は、図３（Ｂ）および図３（Ｃ）で示すように、長手方向の少なくとも後部両側に凸条のリブ3dを設け、同リブ3dの内側に断熱部材13を貼着した構成となっており、
これによって、例えば冷房運転時に、前記吹出口２から送出される吹出冷気により前記風向変更板３に結露が発生しないようにした構造となる。
【００１９】
また、図３（Ａ）で示すように、前記吹出口２の周縁部と、前記風向変更板３の少なくとも短手方向の前後部との隙間が狭小になるように形成して、運転停止時に下方から見た際、外側に向けて傾斜させた前記吹出口２の曲面形状により、該吹出口２の内側が見えないよう遮蔽したことにより、外観性を損ねないようにした構造となっている。
【００２０】
また、前記支軸部が、図８（Ａ）および図８（Ｂ）で示すように、前記吹出口２の長手方向の両側部に夫々設けられた略Ｕ字状の軸受溝1bと、同軸受溝1bに対応するストッパを両側に備えて嵌合された筒状のスリーブブッシュ4aと、同スリーブブッシュ4aに接続されると同時に前記風向変更板３の支軸3aに連結されたジョイント４とからなる構成となっており、
これによって、前記風向変更板３を簡便な構成によって容易に、且つ正確に軸支できるようにした構造となる。
【００２１】
また、前記化粧パネル１の四つのコーナ部1aの何れか一箇所に、前記風向変更板３を駆動し回動するための後述する駆動装置を設け、一つの同駆動装置により四つの前記風向変更板３が連動して回動するように、前記化粧パネル１のコーナ部1aで隣接する前記ジョイント４を連結部4bおよび５により互いに連結した構成となっており、
これによって、四つの前記風向変更板３を自動的に駆動し回動させて快適な空気調和を実現できるようにした構造となっている。
【００２２】
また、前記風向変更板３を駆動し回動する駆動装置が、モータ７と、同モータ７の駆動軸の回転を往復動に変換して前記連結部4bおよび５に伝達するカム7aとからなる構成となっており、
これによって、前記モータ７の駆動軸の回転を前記カム7aにより円滑に往復動に変換できるようになり、前記連結部4bおよび５を介して、前記風向変更板３を円滑に往復回動できるようにした構造となる。
【００２３】
また、前記モータ７の駆動軸および前記カム7aの外周部に、夫々歯車7a' を設けて互いに噛合させたことにより、前記モータ７の駆動軸と前記カム7aとを少許離間させて組付しやすくなるとともに、前記モータ７の駆動軸の回転を正確に伝達できるようにした構成となっている。
【００２４】
また、前記連結部4bおよび５が、ユニバーサルジョイント６により連結されてなる構成となっており、これによって、四つの前記風向変更板３を自動的に、且つ正確に駆動し回動させて快適な空気調和を実現できるようにした構造となっている。
【００２５】
更に、前記連結部4bおよび５が、フレキシブルジョイント6'により連結されてなる構成となっており、これによって、前記ユニバーサルジョイント６よりも簡便なコスト的に有利な構成により、四つの前記風向変更板３を自動的に、且つ正確に駆動し回動させて快適な空気調和を実現できるようにした構造となっている。
【００２６】
以上の構成により、前記図１と、図２と、図３（Ａ）乃至図３（Ｃ）と、図４（Ａ）および図４（Ｂ）と、図５（Ａ）乃至図５（Ｄ）と、図６（Ａ）および図６（Ｂ）と、図７（Ａ）乃至図７（Ｄ）と、図８（Ａ）および図８（Ｂ）とで示すように、前記吹出口２は、吹出方向を外側に向けて夫々傾斜させた曲面形状により形成する一方、前記風向変更板３は、厚さを連続的に変化させた合成樹脂製によって構成されてなり、その裏面は、短手方向の前後部3bおよび3cがほぼ同じ厚さで厚肉状にした曲面形状によって形成され、表面は、一部を除いてほぼ平面状に形成されるとともに、同平面部に連続して、少なくとも短手方向の後部3cが前記吹出口２の後部内面に対応した曲面形状により形成されたので、
上記に説明した従来技術のように、前記吹出口２からの吹出空気が直ちに前記吸込口８に流入する所謂ショートサーキットを起こすことがなくなり、熱交換効率を低下させることがないようにした構造となり、また、前記吹出口２を閉じた際、前記風向変更板３の短手方向の後部3cが前記吹出口２の後部と面一状になって、外観性を損ねないようにするとともに、所謂刃反りが生じないようにした天井埋込型空気調和機となる。
【００２７】
【発明の効果】
以上のように本発明によると、化粧パネルの四辺に設けられた吹出口から送出される吹出空気が、直ちに吸込口に流入する所謂ショートサーキットを防止し、外観性をよくするとともに所謂刃反りが生じないようにした風向変更板の構造、および同風向変更板を駆動する駆動装置の構造を備えた天井埋込型空気調和機となる。
【図面の簡単な説明】
【図１】本発明による天井埋込型空気調和機の断面図である。
【図２】本発明による天井埋込型空気調和機の底面を示す図である。
【図３】本発明による天井埋込型空気調和機の要部断面図で、（Ａ）は吹出口と風向変更板との関係を示し、（Ｂ）および（Ｃ）は風向変更板の裏面に断熱部材を貼着した状態を示す。
【図４】本発明による天井埋込型空気調和機の一例を示す要部斜視図で、（Ａ）はユニバーサルジョイントで連結された風向変更板を示し、（Ｂ）はフレキシブルジョイントで連結された風向変更板を示す。
【図５】本発明による天井埋込型空気調和機の一例を示す要部説明図で、（Ａ）は図４（Ａ）に対応する斜視図であり、（Ｂ）は（Ａ）に対応する要部断面図であり、（Ｃ）は図４（Ｂ）に対応する斜視図であり、（Ｄ）は（Ｃ）に対応する要部断面図である。
【図６】本発明による天井埋込型空気調和機の他の例を示す要部斜視図で、（Ａ）はユニバーサルジョイントで連結された風向変更板を示し、（Ｂ）はフレキシブルジョイントで連結された風向変更板を示す。
【図７】本発明による天井埋込型空気調和機の他の例を示す要部説明図で、（Ａ）は図４（Ａ）に対応する斜視図であり、（Ｂ）は（Ａ）に対応する要部断面図であり、（Ｃ）は図４（Ｂ）に対応する斜視図であり、（Ｄ）は（Ｃ）に対応する要部断面図である。
【図８】本発明による天井埋込型空気調和機の支軸部を示す説明図で、（Ａ）は分解斜視図であり、（Ｂ）は側面図である。
【図９】従来例による天井埋込型空気調和機の断面図である。
【図１０】従来例による天井埋込型空気調和機の要部説明図で、（Ａ）は一例を示し、（Ｂ）は他の例を示す。
【符号の説明】
１  化粧パネル
1a  コーナ部
1b  軸受溝
２  吹出口
３  風向変更板
3a  支軸
3b  風向変更板の短手方向の前部
3c  風向変更板の短手方向の後部
3d  リブ
４  ジョイント
4a  スリーブブッシュ
4b，５  連結部
６  ユニバーサルジョイント
6'  フレキシブルジョイント
７  モータ
7a  カム
7a'   歯車
８  吸込口
９  フィルタ
10  ファンモータ
11  送風ファン
12  熱交換器
13  断熱部材
【図１】
0003799799.tif 000002
【図２】
0003799799.tif 000003
【図３】
0003799799.tif 000004
【図４】
0003799799.tif 000005
【図５】
0003799799.tif 000006
【図６】
0003799799.tif 000007
【図７】
0003799799.tif 000008
【図８】
0003799799.tif 000009
【図９】
0003799799.tif 000010
【図１０】
0003799799.tif 000011